【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する制御手段とを備え、
前記制御手段は、第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う副走査の量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とするインクジェット記録装置。
【請求項２】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する制御手段とを備え、
前記制御手段は、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に記録媒体を副走査する量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とするインクジェット記録装置。
【請求項３】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する制御手段とを備え、
前記制御手段は、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に記録媒体を副走査する量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さより大きく、連続して（ｍ＋ａ＋１）回の搬送を行うときの搬送量の長さより小さくすることを特徴とするインクジェット記録装置。
【請求項４】  それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、
前記主走査手段による前記記録手段の走査の間に前記記録手段からインクを吐出して記録を行う記録動作と、前記副走査手段による副走査とを繰り返し、前記記録媒体に対して画像を記録する制御手段とを備え、
前記制御手段は、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に行う記録媒体の副走査の量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さより大きく、連続して（ｍ＋ａ＋１）回の搬送を行うときの搬送量の長さより小さくすることを特徴とするインクジェット記録装置。
【請求項５】  前記第１の吐出口列で画像を完成させる１主走査に使用する吐出口の位置と、前記第２の吐出口列で画像を完成させる１主走査に使用する吐出口の位置の少なくとも一方を、次の搬送における搬送量を含む連続する前記（ｍ＋ａ）（ａは正の整数）回の搬送による搬送量の組み合わせに応じて異ならせることを特徴とする請求項１乃至４のいずれかに記載のインクジェット記録装置。
【請求項６】  １主走査により前記第１の吐出口列で画像を完成させる副走査方向における記録の幅と、１主走査により前記第２の吐出口列で画像を完成させる副走査方向における記録の幅とが等しいことを特徴とする請求項１乃至４のいずれかに記載のインクジェット記録装置。
【請求項７】  １主走査により前記第１の吐出口列で画像を完成させる副走査方向における記録の幅と、１主走査により前記第２の吐出口列で画像を完成させる副走査方向における記録の幅とが異なることを特徴とする請求項１乃至４のいずれかに記載のインクジェット記録装置。
【請求項８】  １主走査により前記第１の吐出口列で画像を完成させる副走査方向における記録の幅に対して、１主走査により前記第２の吐出口列で画像を完成させる副走査方向における記録の幅が大きいことを特徴とする請求項７に記載のインクジェット記録装置。
【請求項９】  前記第１の吐出口列の長さと、前記第２の吐出口列の長さが等しいことを特徴とする請求項１乃至４のいずれかに記載のインクジェット記録装置。
【請求項１０】  前記第１の吐出口列の長さと、前記第２の吐出口列の長さが異なることを特徴とする請求項１乃至４のいずれかに記載のインクジェット記録装置。
【請求項１１】  前記第１の吐出口列の長さが、前記第２の吐出口列の長さよりも長いことを特徴とする請求項１０に記載のインクジェット記録装置。
【請求項１２】  前記第１の吐出口列と前記第２の吐出口列の少なくとも一方による画像の記録を、１回の主走査により記録される画像を間引いて記録し、複数の主走査を行って画像を完成させる制御に従って行うことを特徴とする請求項１乃至４のいずれかに記載のインクジェット記録装置。
【請求項１３】  前記第１の吐出口列から吐出するインクのブリストウ法におけるＫａ値が第２の吐出口列から吐出するインクのブリストウ法におけるＫａ値よりも小さいことを特徴とする請求項１乃至４のいずれかに記載のインクジェット記録装置。
【請求項１４】  前記第１の吐出口列は、ブラックのインクを吐出することを特徴とする請求項１乃至４のいずれかに記載のインクジェット記録装置。
【請求項１５】  前記第２の吐出口列は、カラーのインクを吐出することを特徴とする請求項１乃至４のいずれかに記載のインクジェット記録方法及び記録装置。
【請求項１６】  前記カラーのインクは、少なくともシアン、マゼンタ、イエローのいずれかであることを特徴とする請求項１５に記載のインクジェット記録方法及び記録装置。
【請求項１７】  前記記録手段は、インクに熱エネルギーを印加する電気熱変換体を備えて、熱エネルギーによりインク中に気泡を発生させてインクを吐出口から吐出させることを特徴とする請求項１乃至１５のいずれかに記載のインクジェット記録装置。
【請求項１８】  それぞれインクを吐出するための複数の吐出口が配列される第１の吐出口列と第２の吐出口列とを有する記録手段を用い、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う記録媒体の副走査の量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とするインクジェット記録方法。
【請求項１９】  それぞれインクを吐出するための複数の吐出口が配列される第１の吐出口列と第２の吐出口列とを有する記録手段を用い、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う記録媒体の副走査の量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とするインクジェット記録方法。
【請求項２０】  それぞれインクを吐出するための複数の吐出口が配列される第１の吐出口列と第２の吐出口列とを有する記録手段を用い、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に行う記録媒体の副走査の量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送を行うときの搬送量の長さより大きく、連続して（ｍ＋ａ＋１）回の搬送を行うときの搬送量の長さより小さくすることを特徴とするインクジェット記録方法。
【請求項２１】  それぞれインクを吐出するための複数の吐出口が配列される第１の吐出口列と第２の吐出口列とを有する記録手段を用い、
前記記録手段を前記記録媒体に対して、前記配列の方向とは異なる主走査方向へ沿って走査する主走査手段と、
前記記録媒体を副走査方向へ沿って上流側から下流側へ副走査する副走査手段と、備えて、前記主走査手段による前記記録手段の走査の間に前記記録手段からインクを吐出して記録を行う記録動作と、前記副走査手段による副走査とを繰り返し、前記記録媒体に対して画像を記録するインクジェット記録方法において、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に行う記録媒体の副走査の量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さより大きく、連続する（ｍ＋ａ＋１）回の搬送による搬送量の長さより小さくすることを特徴とするインクジェット記録方法。
【手続補正２】
【補正対象書類名】明細書
【補正対象項目名】００２６
【補正方法】変更
【補正の内容】
【００２６】
【課題を解決するための手段】
上述の課題を解決する本発明は、それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、前記記録手段を前記記録媒体に対して、前記配列の方向とは異なる主走査方向へ沿って走査する主走査手段と、前記記録媒体を副走査方向へ沿って上流側から下流側へ副走査する副走査手段と、前記主走査手段による前記記録手段の走査の間に前記記録手段からインクを吐出して記録を行う記録動作と、前記副走査手段による副走査とを繰り返し、前記記録媒体に対して画像を記録する制御手段とを備え、前記制御手段は、第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に行う副走査の量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とする。
【手続補正３】
【補正対象書類名】明細書
【補正対象項目名】００２７
【補正方法】変更
【補正の内容】
【００２７】
また本発明は、それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、前記記録手段を前記記録媒体に対して、前記配列の方向とは異なる主走査方向へ沿って走査する主走査手段と、前記記録媒体を副走査方向へ沿って上流側から下流側へ副走査する副走査手段と、前記主走査手段による前記記録手段の走査の間に前記記録手段からインクを吐出して記録を行う記録動作と、前記副走査手段による副走査とを繰り返し、前記記録媒体に対して画像を記録する制御手段とを備え、前記制御手段は、前記第１の吐出口列で画像を完成させる主走査方向への記録走査回数をｍ（ｍは正の整数）回、第２の吐出口列で画像を完成させる主走査方向への記録走査回数をｎ（ｎは正の整数）回とするとともに、１主走査毎に記録媒体を副走査する量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さに等しくすることを特徴とする。
【手続補正４】
【補正対象書類名】明細書
【補正対象項目名】００２８
【補正方法】変更
【補正の内容】
【００２８】
また本発明は、それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、前記記録手段を前記記録媒体に対して、前記配列の方向とは異なる主走査方向へ沿って走査する主走査手段と、前記記録媒体を副走査方向へ沿って上流側から下流側へ副走査する副走査手段と、前記主走査手段による前記記録手段の走査の間に前記記録手段からインクを吐出して記録を行う記録動作と、前記副走査手段による副走査とを繰り返し、前記記録媒体に対して画像を記録する制御手段とを備え、前記制御手段は、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に記録媒体を副走査する量として少なくとも２種類の量を備え、前記副走査手段による副走査の上流側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さより大きく、連続して（ｍ＋ａ＋１）回の搬送を行うときの搬送量の長さより小さくすることを特徴とする。
【手続補正５】
【補正対象書類名】明細書
【補正対象項目名】００２９
【補正方法】変更
【補正の内容】
【００２９】
また本発明は、それぞれインクを吐出するための複数の吐出口が配列される第１の吐出口列と第２の吐出口列とを有する記録手段を用い、前記記録手段の吐出口から記録媒体に対してインクを吐出して記録を行うインクジェット記録装置において、前記記録手段を前記記録媒体に対して、前記配列の方向とは異なる主走査方向へ沿って走査する主走査手段と、前記記録媒体を副走査方向へ沿って上流側から下流側へ副走査する副走査手段と、前記主走査手段による前記記録手段の走査の間に前記記録手段からインクを吐出して記録を行う記録動作と、前記副走査手段による副走査とを繰り返し、前記記録媒体に対して画像を記録する制御手段とを備え、前記制御手段は、前記第１の吐出口列で画像を完成させる主走査方向への記録走査回数をｍ（ｍは正の整数）回、第２の吐出口列で画像を完成させる主走査方向への記録走査回数を１回以上とするとともに、１主走査毎に行う記録媒体の副走査の量として少なくとも２種類の量を備え、前記副走査手段による副走査の下流方向側から使用する吐出口先端部の位置を、前記第１の吐出口列に対し前記第２の吐出口列が前記少なくとも２種類の搬送量を用いて連続する（ｍ＋ａ）（ａは正の整数）回の搬送による搬送量の長さより大きく、連続して（ｍ＋ａ＋１）回の搬送を行うときの搬送量の長さより小さくすることを特徴とする。